(57)【要約】【課題】冷蔵庫のドアをヒンジ部にて回動する扉を容易かつ確実に閉止することのできる冷蔵庫を提供することを目的とする。【解決手段】前面開口部を有する断熱箱体と、閉時に前記前面開口部を閉塞する扉と、前記断熱箱体に取り付けられて前記扉を支持するヒンジと、軸方向に溝部が形成され、前記ヒンジの軸に回動不能に嵌合されるカムと、前記カムを両側から押圧し前記カムの外周に沿って回動するバネとを有し、前記扉閉鎖時の自閉動作が行われるときに、緩やかに付勢力が掛かる第一動作と、前記第一動作よりも大きい付勢力の第二動作をおこなうことで、扉閉鎖角度を広げると共に、扉閉鎖装置に掛かる付加を軽減し、部品構成を簡素化することができる。【選択図】図２
2010091186.tif 000002
【特許請求の範囲】
【請求項１】
前面開口部を有する断熱箱体と、前記前面開口部を閉塞する扉と、前記断熱箱体に取り付けられて前記扉を回動自在に支持するヒンジと、前記ヒンジの軸に回動不能に嵌合されるカムと、前記カムを両側から押圧し前記カムの外周に沿って回動するバネとを有し、前記扉閉鎖時に自閉動作が行われる場合に、緩やかな付勢力が閉扉方向に掛かる第一動作と、前記第一動作の後に前記第一動作よりも大きい付勢力が閉扉方向に掛かる第二動作をおこなうことで、扉を閉止方向に付勢するようにした扉閉鎖装置とを備えた冷蔵庫。
【請求項２】
前記扉閉鎖時に自閉動作が行われる場合に、前記カムと前記バネの接点が、前記カムの軸に対して非対称である請求項１に記載の冷蔵庫。
【請求項３】
前記カムは軸方向に溝部が形成され、前記カムの溝形状が、前記カムの軸に対しての非対称である請求項１または２記載の冷蔵庫。
【請求項４】
前記扉閉鎖装置を、扉をの上面側に備えられた上キャップもしくは扉をの下面側に備えられた下キャップ又は前記上キャップもしくは前記下キャップの断熱材側を凹陥させて形成した収容部内に収容した請求項１から３のいずれか一項に記載の冷蔵庫。
【請求項５】
前記扉閉鎖装置は、前記バネの先端が前記カムの溝形状から扉の開放側に所定角度回動した状態で扉に組込まれる請求項１から４のいずれか一項に記載の冷蔵庫。
【請求項６】
前記扉閉鎖装置の前記バネは、主バネと、前記主バネの外側に重合された補バネによって構成した請求項１から５のいずれか一項に記載の冷蔵庫。
【請求項７】
前記扉は左右方向に第一の扉と第二の扉とに二分割され、断熱箱体に対し２つの扉を支持するヒンジで支持される請求項１から６のいずれか一項に記載の冷蔵庫。
【発明の詳細な説明】
【技術分野】
【０００１】
本発明は、冷蔵庫のドアを軸支するヒンジ部に配設され、扉を容易かつ確実に閉止することのできる扉閉鎖装置を備えた冷蔵庫に関するものである。
【背景技術】
【０００２】
従来の扉閉鎖装置に、扉の回動する同一軸線上にカムとバネを構成したものがある。
【０００３】
これは器体側と開閉部材側の一方の軸線回りにカム部を形成したカムシャフトと、他方に前記カム部を弾性的に把持するバネ体で構成され、カムは軸方向の対称位置に同形状の凹溝形状を形成し、前記バネ体の２つの凸曲面部が前記カム部の円弧周面部を外接しながら回動し、前記バネ体の２つの凸曲面部が前記カム部の凹溝に外接する際に、扉を閉止方向に付勢するようにしたものである（例えば、特許文献１、図１−Ａ）。
【特許文献１】特許第３５０４８６５号公報
【発明の開示】
【発明が解決しようとする課題】
【０００４】
しかしながら、上記従来の構成では、カムシャフトの軸に対してバネ体の接点が対称であり、カムシャフトの直径に制限がある場合、扉の自閉動作が行われる場合の閉鎖開始角度の調整範囲が狭いという課題があった。
【０００５】
また、バネ体凸曲面部がカム部の円弧周面部を外接する際のバネ体先端部に掛かる負荷が大きく、バネ体の耐久性を維持するためにはバネ体を支える部品構成を複雑になるといった課題があった。
【０００６】
本発明は上記従来の課題を解決するもので、扉の自閉動作が行われる場合の閉鎖開始角度の調整範囲が広く、またバネ体に掛かる負荷を小さくすることで、簡単な構成で故障の可能性も低い扉閉鎖装置を提供することを目的とする。
【課題を解決するための手段】
【０００７】
上記従来の課題を解決するために、本発明の扉閉鎖装置は、前面開口部を有する断熱箱体と、前記前面開口部を閉塞する扉と、前記断熱箱体に取り付けられて前記扉を回動自在に支持するヒンジと、前記ヒンジの軸に回動不能に嵌合されるカムと、前記カムを両側から押圧し前記カムの外周に沿って回動するバネとを有し、前記扉閉鎖時に自閉動作が行われる場合に、緩やかな付勢力が閉扉方向に掛かる第一動作と、前記第一動作の後に前記第一動作よりも大きい付勢力が閉扉方向に掛かる第二動作をおこなうことで、扉を閉止方向に付勢するようにした扉閉鎖装置とを備えたものである。
【０００８】
これによって、扉の閉鎖開始角度の調整幅を大きくすることができると同時に、扉閉鎖に必要な力を分散して掛けることにより、バネ体に掛かる負荷を小さくすることができる。
【発明の効果】
【０００９】
本発明の冷蔵庫は、扉閉鎖時の自閉動作が行われるときの付勢力を２段階に分散することで、扉の閉鎖開始角度を大きくすることができると同時に、バネ体に掛かる負荷を小さくすることができ、簡単な構成で故障の可能性を低減した扉閉鎖装置を提供することができる。
【発明を実施するための最良の形態】
【００１０】
請求項１に記載の発明は前面開口部を有する断熱箱体と、前記前面開口部を閉塞する扉と、前記断熱箱体に取り付けられて前記扉を回動自在に支持するヒンジと、前記ヒンジの軸に回動不能に嵌合されるカムと、前記カムを両側から押圧し前記カムの外周に沿って回動するバネとを有し、前記扉閉鎖時に自閉動作が行われる場合に、緩やかな付勢力が閉扉方向に掛かる第一動作と、前記第一動作の後に前記第一動作よりも大きい付勢力が閉扉方向に掛かる第二動作をおこなうことで、扉を閉止方向に付勢するようにした扉閉鎖装置とを備えたものである。
【００１１】
これによって、ヒンジの軸に回動不能に嵌合されるカムと、前記カムを両側から押圧し前記カムの外周に沿って回動するバネとを有した扉閉鎖装置を備えた冷蔵庫において、扉閉鎖時の自閉動作が行われるときの付勢力を２段階に分散することで、扉の閉鎖開始角度の調整幅を大きくすることができると同時に、バネ体に掛かる負荷を小さくすることができ、簡単な構成で故障の可能性も低い扉閉鎖装置を提供することができる。
【００１２】
請求項２に記載の発明は、前記扉閉鎖時に自閉動作が行われる場合に、前記カムと前記バネの接点が、前記カムの軸に対して非対称であるものである。
【００１３】
これによって、バネ体先端形状に対するカムの溝形状が同一の場合であっても、扉閉鎖時の自閉動作が行われるときの付勢力を２段階に分散することが可能となり、扉の閉鎖開始角度の調整幅を大きくすることができると同時に、バネ体に掛かる負荷を小さくすることができ、簡単な構成で故障の可能性も低い扉閉鎖装置を提供することができる。
【００１４】
請求項３に記載の発明は、前記カムは軸方向に溝部が形成され、前記カムの溝形状が、前記カムの軸に対しての非対称であるものである。
【００１５】
これによって、カムの対称位置に溝形状を形成する場合であっても、扉閉鎖時の自閉動作が行われるときの付勢力を２段階に分散することが可能となり、扉の閉鎖開始角度の調整幅を大きくすることができると同時に、バネ体に掛かる負荷を小さくすることができ、簡単な構成で故障の可能性も低い扉閉鎖装置を提供することができる。
【００１６】
請求項４に記載の発明は、前記扉閉鎖装置を、扉をの上面側に備えられた上キャップもしくは扉をの下面側に備えられた下キャップ又は前記上キャップもしくは前記下キャップの断熱材側を凹陥させて形成した収容部内に収容したものである。
【００１７】
これによって、扉閉鎖装置の機能を扉に保持する際に外から扉閉鎖装置を見せないことでデザイン的にもスッキリするだけでなく、上下扉同士の間隔を従来のものと同じ程度にすることができ、断熱箱体に対する熱浸入を抑制することが可能となる。
【００１８】
請求項５に記載の発明は、前記扉閉鎖装置は、前記バネの先端が前記カムの溝形状から扉の開放側に所定角度回動した状態で扉に組込まれるものである。
【００１９】
これによって、扉閉鎖装置により扉が閉まった状態においても、バネ体先端形状が相対するカムの溝形状に完全に勘合していない状態となるため、常に扉が閉鎖する方向に力が掛かり、扉の取付けバラツキにより扉が閉まりきらないなどの問題にも対応することができると同時に、経時変化により扉閉鎖装置の自閉力が落ちてきた場合においても扉の自閉性を損なうことがない状態を保つことができる。
【００２０】
請求項６に記載の発明は、前記扉閉鎖装置の前記バネは、主バネと、前記主バネの外側に重合された補バネによって構成したものである。
【００２１】
これによって、主バネだけでは扉自閉力を確保できないばあいでも補バネにより扉自閉力を補強できるだけでなく、バネの板厚が大きくなることでバネ体の先端形状に制限ができてくることへの対応を図ることができるため、より自閉力幅の広い扉閉鎖装置の設定が可能となる。
【００２２】
請求項７に記載の発明は、前記扉は左右方向に第一の扉と第二の扉とに二分割され、断熱箱体に対し２つの扉を支持するヒンジで支持されるものである。
【００２３】
これによって、片開き扉タイプの冷蔵庫だけでなく、観音開き扉タイプの冷蔵庫にも適応することができる。
【００２４】
以下、本発明による冷蔵庫の実施の形態について、図面を参照しながら説明する。なお、この実施の形態によってこの発明が限定されるものではない。
【００２５】
（実施の形態１）
以下、本発明の実施の形態１を図１から図３に基づいて説明する。図１は本発明の実施の形態１における冷蔵庫の斜視図、図２は図１の扉閉鎖装置と下ヒンジ等要部の構成を示す分解斜視図、図３は冷蔵室扉の下キャップに扉閉鎖装置を組立てた状態を示す側面図及びそのＡ−Ａ断面図である。
【００２６】
図１から図３において、冷蔵庫本体５１は断熱箱体５２内に複数に区画された貯蔵室を有しており、上部より冷蔵室５３、製氷室５４及びこの製氷室５４に併設され、庫内の温度が可変できる切換室５５、その下部に野菜室５６、冷凍室５７の順に配置されている。
【００２７】
各貯蔵室の前面開口部には、例えばウレタンのような発泡断熱材を発泡充填した断熱扉が設けられ、冷蔵室５３には断熱箱体５２の前面開口を左右に区画する左扉６０、右扉６１が、製氷室５４、切換室５５、野菜室５６、冷凍室５７にはそれぞれ引き出し式の扉６２、６３、６４、６５が設けられている。前述した左扉６０、右扉６１は貯蔵室の収納形態によって、双方を中央側から外側に開く観音開き方式や一方を引き出し式扉で構成することもある。
【００２８】
この冷蔵室の左扉６０は、上キャップ７１、下キャップ７２外板７３、内板７４及びこれらで囲繞された空間内に注入発泡された断熱材等によって構成され、内板７４側の周縁にはマグネットガスケット７５が装着されている。また、後述の下ヒンジ２０に対応する位置には、断熱材側を凹陥して形成され下部が開口されて後述の扉閉鎖装置３０が挿入されて収容される収容部７３が一体に形成されている。
【００２９】
下ヒンジ２０は冷蔵庫本体５１に固定され、上ヒンジ２１とにより冷蔵室左扉１６０を開閉自在に支持する。この下ヒンジ２０は、複数のねじ挿通穴２２を有し冷蔵庫本体５１に固定される垂直片２３と、その一部に設けられた水平片２４とによりほぼＬ字状に形成されており、水平片２４には冷蔵室左扉１６０が最大開放位置で、後述のストッパー６０の係止突部６３が当接する係止段部２５が設けられており、また、カシメなどにより一体に取付けられて冷蔵室左扉１６０を枢支する軸２６が立設され、この軸２６の軸方向の対称位置には、後述のカム３１が回動不能に嵌合するためのフラット面２７が設けられている。
【００３０】
扉閉鎖装置３０において、筒状のカム３１は例えば合成樹脂からなり、大径部３１ａと、その上下に設けた小径部３１ｂ、３１ｇからなり、軸方向の対称位置に、両側縁部が傾斜面３１ｃに形成された凹溝３１ｄと軸方向に形成されたフラット面３１ｅ（図３参照）が設けられており、また内壁には下ヒンジ２０の軸２６に設けたフラット面２７に係止する突部３１ｆが設けられて、下ヒンジ２０の軸２６に回動不能に嵌合される。  板ばね材を折曲げて形成した制御ばね４０は、主ばね４１と、主ばね４１の外側にほぼ密着して配設された補ばね４２とからなり、主ばね４１において、右端部は外方に折曲げられてＲ付けされ、カム３１の凹溝３１ｄに係合する係合部４１ａと、左端部は先端部が一部傾斜しながらもフラット面を持ち、カム３１のフラット面３１ｅに係合する係合部４１ｂからなり、上端部は垂直片５０に対し、水平に折り曲げられた上水平片５０ａで上水平片５０ａにはカム３１の上小径部３１ｂが回動自在に嵌入して支持される軸受穴５２が設けられており、カムの軸受けの役割も行っている。
【００３１】
また下端部は上水平片５０ａと平行でありながら、垂直片５０に対し反対方向に折り曲げられた下水平片５０ｂで、ねじ挿通穴５３が設けられており、後述のストッパー６０と共に下キャップ７２に固定される。また、補ばね４２において、その両端部が主ばね４１の係合部４１ａ，４１ｂと、垂直片５０とのほぼ中間に位置する大きさとなっている。また、主ばね４１の開口部４５の反対側には、補ばね取付穴（図示せず）が設けられており、補ばね４２の凸部図３参照）が取付穴に係合することで主ばね４１と一体に固定される。
【００３２】
ストッパー６０は例えば鋼板製で、後述のヒンジスペーサー６４の軸受部６４ａとカム３１の下小径部３１ｇが挿入される軸受穴６１、後述のヒンジスペーサー６４の位置決め突部６５に嵌合する位置決め穴６２ａ、及びねじ挿通穴６２ｂが設けられており、一方の側縁部は下方に折曲げられて、その一端に冷蔵室左扉１６０を開放したときに、下ヒンジ２０の係止段部２５に当接する係止突部６３が設けられている。
【００３３】
ヒンジスペーサー６４は樹脂製で、位置決め突部６５をストッパーの位置決め穴６２ａに押圧し、カム３１の下小径部３１ｇが挿入される軸受穴６４ａを前記ストッパーの軸受穴６１に挿入し、ストッパーと一体に固定する。補強板６６は底部とその両側に立設された垂直部とからなり、断熱材に埋設されたほぼコ字状ので、底部にはねじ穴６７が設けられている。なお、カム３１の凹溝３１ｄとフラット面３１ｅ、主ばねの係合部４１ａと４１ｂの組み合わせは左右逆の対になっても可能である。また、冷蔵室右扉１６１も冷蔵室左扉１６０と同様の構造を持つことが可能である。
【００３４】
次に、上記のように構成した扉閉鎖装置３０の組立手順、冷蔵室左扉１６０への取付手順の一例について説明する。
【００３５】
まず、制御ばね４０の係合部４１ａ，４１ｂにカム３１の凹溝３１ｄとフラット面３１ｅを係合させると共に、上端部の軸受穴５２にカム３１の上小径部３１ｂを嵌合させる。次に、制御ばね４０とカム３１の一体部品を冷蔵室左扉１６０の下キャップ７２に断熱材側を凹陥して設けた収容部７３に、下部開口部から、カム３１の上小径部３１ｂが下キャップの収容凸部７４に収まる様に挿入する。なお、カム３１と制御ばね４０の係合部４１ａ，４１ｂとの間には、摺動時の摩擦抵抗を軽減するために、潤滑油が塗布される。
【００３６】
次にヒンジスペーサー６４と一体に固定されたストッパー６０の軸受け穴部６１を冷蔵室左扉１６０の下キャップ７２に断熱材側を凹陥して設けた収容部７３と制御ばね４０の下面に対し、カム３１の下小径部３１ｇに嵌合する。そして、ストッパー６０、制御ばね４０、収納部７３のねじ挿通穴６２ｂ、５３、７５に挿通したねじ８２を補強板６５の底部に設けたねじ穴６７に螺入し、これらを一体に固定する。これにより、扉閉鎖装置３０の冷蔵室左扉１６０への取付けが完了する。
【００３７】
扉閉鎖装置３０が取付けられた冷蔵室左扉１６０を冷蔵庫本体５１に取付けるにあたっては、冷蔵室左扉１６０の下キャップ７２に設けた扉閉鎖装置の制御ばね４０の係合部４１ａ，４１ｂが、図３に示すようなカム３１の凹溝３１ｄに係合した状態ではなく、大径部３１ａ上に位置するようにあらかじめカム３１を回転（例えば、図３でカム３１を右方向に約９０°回転）させ、冷蔵室左扉１６０が開放された状態にしておき、カム３１を冷蔵室の下縁部において、下ヒンジ２０の垂直片２３をねじにて冷蔵庫本体１に取付けられた下ヒンジの軸２６に挿入し、冷蔵室の上縁部において、上キャップ７１の軸受部（図示せず）に上ヒンジ２１の軸（図示せず）を挿入し、冷蔵庫本体１にねじにて固定すれば冷蔵室左扉１６０は冷蔵庫本体１に、上下のヒンジにより開閉自在に支持される。
【００３８】
次に、上記のように構成した扉閉鎖装置３０の作用について説明する。
【００３９】
上ヒンジ２１と下ヒンジ２０とにより開閉自在に支持された冷蔵室左扉１６０は、冷蔵室の閉止状態においては、図４に示すように、制御ばね４０の係合部４１ａ，４１ｂはカム３１の凹溝３１ａとフラット面３１ｅに嵌合している。このとき、下ヒンジ２０の水平片２４に立設された軸２６の取付角度は、実線で示すように、冷蔵室左扉１６０が冷蔵室の前縁に対してθ°（例えば、８°）閉方向になるように設定されている。
【００４０】
すなわち、カム３１は冷蔵庫本体１に固定された下ヒンジ２０の軸２６に回動不能に嵌合されているため、制御ばね４０の係合部４１ａ，４１ｂはカム３１の凹溝３１ａの最深部とフラット面３１ｅに完全には達せず、僅かに手前の位置で停止している。このため、制御ばね４０は僅かに付勢されて冷蔵室左扉１６０を閉止方向に押圧し、破線で示すように位置して冷蔵室の開口部を閉鎖する。
【００４１】
冷蔵室左扉１６０を開くと、図５に示すように、制御ばね４０の係合部４１ａはカム３１の凹溝３１ｄの傾斜面に沿って摺動しつつ移動し、また係合部４１ｂはフラット面３１ｅから離れていく様に移動し、制御ばね４０は徐々に付勢されて外周面（大径部３１ａ）に至ると最大になる。この時、係合部４１ａの方が先に外周面に到達し、係合部４１ｂが後から到達という形で時間的な差が生じる。
【００４２】
さらに、冷蔵室左扉１６０を開放すると、図６に示すように、下キャップ７２に取付けられたストッパー６０の係止突部６３が下ヒンジ２０の係止段部２５に当接し、冷蔵室左扉１６０は最大限に開放されて停止する。この状態においても、制御ばね４０の係合部４１ａ，４１ｂはカム３１の凹溝３１ｄとフラット面３１ｅに嵌合しないように、換言すれば、制御ばね４０はカム３１の大径部３１ａ上に位置して付勢されているが、係合部４１ａ，４１ｂはカム３１の外周面３１ａに位置しているため回動力は生じないので、冷蔵室左扉１６０はその位置に保持される。
【００４３】
このようにして開放された冷蔵室左扉１６０を閉じる場合は、冷蔵室左扉１６０に閉鎖方向の力を加えると、制御ばね４０は最大限に付勢された状態のまま係合部４１ａ，４１ｂがカム３１の大径部３１ａ上をスムーズに摺動する。そして係合部４１ｂが先にカム３１のフラット面３１ｅにかかり、第１付勢力が発生し、続いて係合部４１ａが凹溝３１ｄの両側縁部の傾斜面３１ｃにかかるとさらに第２付勢力が発生し、この制御ばね４０の押圧力が回動力となり、力を加えなくても冷蔵室左扉１６０は扉開放角度が大きい状態からでも自動的に冷蔵室の開口部を閉鎖し、図４の状態に戻る。
【００４４】
本発明に係る扉閉鎖装置３０によれば、この扉閉鎖装置３０が組込まれた扉は、開放された状態からこれに加える力が弱くても、所定の開放位置に達すると２段階の付勢力をもって開口部を自動的に閉鎖することができ、途中で停止することはなく確実に閉鎖することができる。
【００４５】
また、制御ばね４０が直接カム３１を挟持することによりばねが付勢されるので、組立て時のばらつきによる押圧力（付勢力）のばらつきがなく、所定のばね力を直接扉閉鎖力に変換することができる。
【００４６】
また、扉の閉鎖力を大きくする、すなわち、制御ばね４０の付勢力を大きくするためには、カム３１の凹溝３１ｄを深くして落差を大きくしたり、あるいは制御ばねの高さ寸法を高くしたり板厚を厚くすることが考えられるが、このようにすると扉に組込むために大きなスペースを必要とするばかりでなく、加工性が悪くなる。
【００４７】
本発明においては、板厚が薄くても十分な付勢力が得られるように、主ばね４１の外側に補ばね４２を重合させて、制御ばね４０の基部を補強し、主ばね４１の係合部４１ａ，４１ｂにより直接カム３１を挟持するようにしたので、小型で耐久性のある制御ばね３５を得ることができ、冷蔵庫の断熱性を損うことなく扉のキャップに設けた収容部７２ｂに収容することができる。なお、小さな扉や収容物の負荷が少なく軽い扉の場合は、１枚の主ばね４１だけでもよい。
【００４８】
さらに、カム３１が制御ばね４０を直接付勢するという簡単な構造なので、部品点数が少なく動作も円滑であり、安価な扉閉鎖装置３０を得ることができる。
【００４９】
また、本発明に係る扉閉鎖装置３０においては、扉が最大開放位置に達しても制御ばね４０の係止部４１ａ，４１ｂがカム３１の凹溝３１ｄとフラット面３１ｅに係合することのないように、下ヒンジ２０に設けた係止段部２５とストッパー６０に設けた係止突部６３とにより最大開放位置を規制しているので、扉が最大角度まで開放されていても、扉を閉じるときに大きな力を必要としない。
【００５０】
さらに、扉閉鎖装置３０は、キャップにより発泡断熱材から遮蔽されているため、万一故障しても扉を交換することなく扉閉鎖装置３０だけを容易に交換できるので、サービス性にすぐれた冷蔵庫を得ることができる。
【００５１】
また、２段階で扉の閉鎖力を得るため、カム３１の軸からカム３１のフラット面３１ｅと外周面３１ａとの差を大きくするだけで、扉閉鎖角度を容易に調整することが可能となる。  上記の説明では、野菜室扉７の下キャップ７２に断熱材側を凹陥して収容部７２ｂを設け、この収容部７２ｂに扉閉鎖装置３０を収容した場合を示したが、同様にして、上キャップ７１にも扉閉鎖装置３０を設けてよい。
【００５２】
また、冷蔵室左扉１６０に扉閉鎖装置３０を設けた場合を示したが、他の扉にも扉閉鎖装置３０を設けてもよく、この場合、上下のキャップに扉閉鎖装置３０を組込めば、より大きな扉や大きな負荷のかかる重い扉にも対応することができる。
【産業上の利用可能性】
【００５３】
本発明に係る扉閉鎖装置３０は、家庭用の冷蔵庫に組込んだ場合を示したが、他の構造の冷蔵庫の扉にも本発明を実施することができる。
【図面の簡単な説明】
【００５４】
【図１】本発明の実施の形態１に係る冷蔵庫の斜視図
【図２】図１の扉閉鎖装置と下ヒンジ等を分解して示す斜視図
【図３】扉閉鎖装置を組立てた状態を示す側面図及びそのＡ−Ａ断面図
【図４】扉閉鎖装置の作用説明図
【図５】扉閉鎖装置の作用説明図
【図６】扉閉鎖装置の作用説明図
【符号の説明】
【００５５】
２０    下ヒンジ
３０    扉閉鎖装置
３１    カム
３１ｄ  凹溝
３１ｅ  フラット面
４０    制御ばね
４１    主ばね
４１ａ，４１ｂ  係合部
４２    補ばね
５１    冷蔵庫本体
６０    ストッパー
１６０  冷蔵室左扉
１６１  冷蔵室右扉
【図１】
2010091186.tif 000003
【図２】
2010091186.tif 000004
【図３】
2010091186.tif 000005
【図４】
2010091186.tif 000006
【図５】
2010091186.tif 000007
【図６】
2010091186.tif 000008